(57)【要約】【課題】  リモコンの小型化のために基板から表示部の一部がはみ出すことになったとしても、密閉空間の形成による防塵対策を適切に実現し得るリモコンを提供する。【解決手段】  基板６をカバー本体２とケース本体１との間に挟んだ状態に収容する。表示部７を、基板６に対し、表示窓部２４に臨み、かつ、はみ出し部分７１が基板６の端縁からはみ出した状態に設置する。基板６の背面をリブ１３で支持した状態で、リブ２４２を基板６の前面に当接させ、リブ２４３とリブ１２とを互いに当接させて、表示部７を収容するための密閉空間Ｓを区画形成する。リブ１２とリブ１３との間を結ぶリブに段差部を設けてリブ１２の先端面と基板６の前面とを面一にしてリブ２４２とリブ２４３とを結ぶリブと連続して当接可能とする。【選択図】      図８
2015133356.tif 000002
【特許請求の範囲】
【請求項１】
基板が前面ケースと後面ケースとの間に挟まれた状態で収容されたリモコンにおいて、
前記基板は、前記前面ケースの表示窓部に臨む位置であって、一部を基板の端縁からはみ出した状態となる位置に配置された表示部を備え、
前記前面ケースと前記後面ケースとはそれぞれ相対向する側に突出するリブを備え、
前記前面ケースのリブは前記表示部の周囲を取り囲むように形成される一方、前記後面ケースのリブは前記表示部の前記基板からはみ出したはみ出し部分を取り囲むように形成され、かつ、前記前面ケースのリブは前記表示部の周囲の基板と、前記後面ケースのリブとの双方と当接して、前記表示部を内部に収容するための密閉空間が区画形成されるように構成されている、
ことを特徴とするリモコン。
【請求項２】
請求項１に記載のリモコンであって、
前記後面ケースのリブは先端面に段差部を備え、この段差部を挟んで一側の先端面が前記基板の後面と当接する一方、他側の先端面が前記前面ケースのリブと当接するように構成されている、リモコン。
【請求項３】
請求項１又は請求項２に記載のリモコンであって、
前記後面ケースのリブは前記はみ出し部分を取り囲むように環状に形成されている、リモコン。
【発明の詳細な説明】
【技術分野】
【０００１】
本発明は、リモコンに関し、特にリモコン内部に収容されたＬＣＤ等により構成された表示部に対し埃・ゴミ等の異物（以下「埃等」と略す）が付着するような事態の発生を防止するための技術に係る。
【背景技術】
【０００２】
リモコンの内部には、通常、ＬＣＤ等により構成された表示部が収容されている。このような表示部の表面に対し、外部から侵入した埃等が付着すると、見栄えが悪くなり外観性を損なうおそれがあることから、従来、表示部に対する防塵対策が提案されている。特に、壁面への取り付け時には壁面への孔明け工事等により埃等が空気中に充満することがあり、防塵対策が必要となる。
特許文献１（同文献の図１，図２参照）では、表示窓として透明スクリーンが嵌め込まれた筐体で表示部を覆うようにした電子機器において、表示部を囲むガイド壁を筐体側から突出させるようにし、かつ、そのガイド壁と表示部との隙間を埋めるように窓枠状の弾性部材を介装させることが提案されている。特許文献２（同文献の図５参照）の表示装置においては、基板に表示部を設置するためのフレームの先端面を、透明スクリーンが嵌め込まれた筐体の裏面に対しシールパッキンを介して当接させることが提案されている。又、特許文献３（同文献の図５参照）のリモコン装置では、表示部が設けられたケース側と、このケースの前面を覆うカバー側との双方からリブを相対向して突出させ、双方からのリブを内外方向に重なり合うように被せることが提案されている。
【先行技術文献】
【特許文献】
【０００３】
【特許文献１】特許第２５８１０２２号公報
【特許文献２】特許第２５００６４１号公報
【特許文献３】特開２００８−１８５２９４号公報
【発明の概要】
【発明が解決しようとする課題】
【０００４】
ところで、リモコンに内蔵される表示部の防塵対策として、表示部を囲んで密閉空間を区画形成するようにする場合、表示部が設置された基板の側に区画壁を突出形成するにしても、あるいは、表示部が設置された基板を覆うカバーの側に区画壁を突出形成するにしても、表示部が設置される側（例えば基板側）は表示部のサイズよりも周囲に大きく拡がっている必要がある。例えば図９の検討案のように、基板１００に設置された表示部１０１の周囲を囲む区画壁１０２をカバー１０３から突出させ、この区画壁１０２の先端面を基板１００に当接させることで、表示部１０１を密閉空間１０４内に収容させるようにするためには、区画壁１０２の先端面が当接する対象の基板１００が表示部１０１よりも大きく周囲に拡がっていることが前提となる。
一方、リモコンのコスト削減やコンパクト化の実現のために基板のサイズをより小さくすることが検討されており、表示部の一部が基板の端縁よりも外側にはみ出してしまうケースも想定され、そうなると前記の区画壁による密閉空間の形成が不能となる。つまり、基板の小型化を図ることによりリモコンの小型化やコストの削減を実現しようとすると、前記の防塵対策を採ることが不能となる事態を招くことになる。
【０００５】
本発明は、このような事情に鑑みてなされたものであり、その目的とするところは、リモコンの小型化のために基板から表示部の一部がはみ出すことになったとしても、密閉空間の形成による防塵対策を適切に実現し得るリモコンを提供することにある。
【課題を解決するための手段】
【０００６】
上記目的を達成するために、本発明では、基板が前面ケースと後面ケースとの間に挟まれた状態で収容されたリモコンを対象にして、次の特定事項を備えることとした。すなわち、前記基板として、前記前面ケースの表示窓部に臨む位置であって、一部を基板の端縁からはみ出した状態となる位置に配置された表示部を備えるものとする。そして、前記前面ケースと前記後面ケースとにそれぞれ相対向する側に突出するリブを備える。前記前面ケースのリブを、前記表示部の周囲を取り囲むように形成する一方、前記後面ケースのリブを、前記表示部の前記基板からはみ出したはみ出し部分を取り囲むように形成し、かつ、前記前面ケースのリブを、前記表示部の周囲の基板と、前記後面ケースのリブとの双方と当接させるようにして、前記表示部を内部に収容する密閉空間が区画形成される構成とする（請求項１）。
【０００７】
本発明の場合、前面ケースのリブにより、はみ出し部分を含む表示部の全周が取り囲まれる一方、後面ケースのリブにより、表示部のはみ出し部分が取り囲まれ、しかも、前面ケースのリブが、表示部の周囲の基板と、後面ケースのリブとの双方と当接されるため、表示部を内部に収容するための密閉空間が区画形成されることになる。表示部が密閉空間内に収容されることになるため、リモコンの内部に前面ケースや後面ケースの隙間や開口を通して外部から埃等が侵入し易い環境下に置かれたとしても、密閉空間内にその埃等が侵入することが阻止され、表示部に埃等が付着することが確実に阻止される。もちろん、埃等の他に水滴等の侵入も阻止される。
【０００８】
又、本発明のリモコンにおいて、後面ケースのリブの先端面に段差部を備えることとし、この段差部を挟んで一側の先端面が基板の後面と当接する一方、他側の先端面が前面ケースのリブと当接する構成とすることができる（請求項２）。このようにすることにより、段差部を挟んで他側のリブの先端面と、基板の前面とを面一にすることが可能となり、この面一にされて連続する当接面に対し、前面ケースのリブが当接されることにより、密閉空間が確実に区画形成されることになる。なお、逆に、前面ケースのリブの先端面に段差部を設けるようにすることができる。
【０００９】
さらに、本発明のリモコンにおいて、後面ケースのリブとしてはみ出し部分を取り囲むように環状に形成することができる（請求項３）。このようにすることにより、はみ出し部分を最小限の範囲で環状に取り囲むようにすることが可能となり、密閉空間をなるべく最小容積になるようにして、密閉の効果（防塵効果）をより高めることが可能となる。
【発明の効果】
【００１０】
以上、説明したように、本発明のリモコンによれば、前面ケースのリブにより、はみ出し部分を含む表示部の全周を取り囲む一方、後面ケースのリブにより、表示部のはみ出し部分を取り囲み、しかも、前面ケースのリブを、表示部の周囲の基板と、後面ケースのリブとの双方と当接させるようにしているため、表示部を内部に収容するための密閉空間を区画形成することができるようになる。表示部を密閉空間内に収容することができるため、リモコンの内部に前面ケースや後面ケースの隙間や開口を通して外部から埃等が侵入し易い環境下にリモコンが置かれたとしても、密閉空間内にその埃等が侵入することを阻止することができ、表示部に埃等が付着することを確実に阻止することができる。
【００１１】
又、請求項２のリモコンによれば、後面ケースのリブの先端面に段差部を備え、この段差部を挟んで一側の先端面を基板の後面と当接させる一方、他側の先端面を前面ケースのリブと当接させる構成とすることにより、段差部を挟んで他側のリブの先端面と、基板の前面とを面一にすることができ、この面一にされて連続する当接面に対し、前面ケースのリブを当接させることにより、密閉空間を確実に区画形成することができるようになる。
【００１２】
さらに、請求項３のリモコンによれば、後面ケースのリブとしてはみ出し部分を取り囲むように環状に形成することにより、はみ出し部分を容易に最小限の範囲で環状に取り囲むようにすることができ、密閉空間をなるべく最小容積になるようにして、密閉の効果（防塵効果）をより高めることができるようになる。
【図面の簡単な説明】
【００１３】
【図１】本発明の実施形態に係るリモコンの全体斜視図である。
【図２】開閉蓋を開けた状態の図１対応図である。
【図３】図２のリモコンから表示カバー、ボタン本体、絶縁シートを外した状態の分解斜視図である。
【図４】リモコンの主要構成部材についての分解斜視図である。
【図５】図４のＡ部拡大図である。
【図６】図４のＡ部に基板が装着された状態の図５対応図である。
【図７】図６のＢ−Ｂ線矢視図である。
【図８】図４のＣ−Ｃ線において破断した部分拡大断面図である。
【図９】課題を導くための検討案に係る部分拡大断面図である。
【発明を実施するための形態】
【００１４】
以下、本発明の実施形態を図面に基づいて説明する。
【００１５】
図１及び図２は、本発明の実施形態に係るリモコンの模式図である。このリモコンは、例えば給湯装置を遠隔操作するために用いられる他、給湯装置以外の装置を遠隔操作するためにも用いることができる。このリモコンは、内部に制御用の基板やＬＣＤ等により構成された表示部が収容された後述のケース本体に対し、カバー本体２が前面側から被されて構成されたものである。カバー本体２にはボタン本体３、表示部カバー４や、絶縁シート５等が組み付けられている（図３も併せて参照）。前記のカバー本体２や後述のケース本体により筐体が主要構成され、これらは例えば合成樹脂成形により形成することができる。本実施形態のリモコンは、図１〜図３に図示した状態の姿勢で壁面に取り付けられて使用されるようになっている。以下、上下、左右、前後という用語は、壁面に取り付けられた状態の姿勢について用いる。
【００１６】
まず、前面側の外観を構成するカバー本体２について説明する。すなわち、カバー本体２の下端縁位置には開閉蓋２１が回転可能に付設され、回転操作することで通常の閉状態（図１の状態）と、開状態（図２の状態）とに変換操作可能となっている。そして、カバー本体２の下半部には開閉蓋２１により覆われる個別操作部２２が設けられている。個別操作部２２には、所定配置で複数の可動部２２１，２２１，…（図３参照）が形成され、この前面に対し絶縁シート５が貼着又は接着されている。各可動部２２１は所定形状のスリット溝により中心部分が片持ち梁形式に支持されて前後方向に可撓（弾性変形可能）とされ、その中心部分の背後位置に基板上の各種スイッチが位置するようにされている。又、絶縁シート５には所定の可動部２２１，２２１，…に対応する位置に各種操作ボタン表示５１，５１，…（図２参照）が印刷され、その印刷された各種操作ボタン表示５１，５１，…の部分を前側から後側に押圧操作することで、前記可動部２２１が押されて後側に凹み、対応するスイッチの切換が行われるようになっている。各種操作ボタン表示５１，５１，…としては、例えば給湯装置用のリモコンの場合であると、給湯温度の昇温側・降温側の温度調整用に「給湯温度」、「音量」、「ふろ予約」、「時計あわせ」「エネルギー表示」等の表示が付される。
【００１７】
又、カバー本体２（図３参照）の上下方向の中間部には左右方向に複数（図例では４つ）のボタン操作部２３が設けられ、上半部には表示部を前方に露出させるための表示窓部２４が設けられ、この表示窓部２４に対し透明部を有する表示部カバー４が嵌め込まれるようになっている。表示窓部２４の開口を通して内部の表示部７が前方に向けて臨むように配設され、表示窓部２４の開口を表示部カバー４が密封するようになっている。この表示部カバー４はカバー本体２に含まれるもの、つまりカバー本体２の表示窓部２４に付随して表示窓部を構成するものであり、互いに別体に構成することなく、互いに一体に構成することもできる。一方、ボタン操作部２３は、所定数の可動部２５と、ボタン本体３（図２参照）を保持・固定するための保持部２６とを備えて構成されている。可動部２５は、中心伝達部が左右からのアーム部により片持ち梁形式に支持され、中心伝達部が後側に押されると、アーム部が弾性変形により撓むことにより、中心伝達部が後側に対し移動可能となっている。又、保持部２６は、ボタン本体３の連結片３２を没入させて収容し得るように連結片３２に対応する形状に凹まされた凹所により構成されている。そして、前記連結片３２の位置決め孔３２１に装入し得るように前方に突出する凸部２６１，２６１，…が設けられている。
【００１８】
ボタン本体３は、所定数（図例では４つ）の操作ボタン３１，３１，…が左右方向に僅かな隙間を挟んで並んだ状態で一体化されたものである。すなわち、各操作ボタン３１は、互いに切り離されて独立してはいるものの、各操作ボタン３１から上に延びて全ての操作ボタン３１，３１，…を互いに連結する連結片３２により一体に連結されている。そして、各操作ボタン３１は前面には、給湯装置用のリモコンの場合であると、例えば「運転  入／切」、「呼出」、「追いだき」、「ふろ自動」という主要操作に係る表示が付されている。
【００１９】
そして、ボタン本体３（図３参照）の連結片３２の位置決め孔３２１，３２１，…に凸部２６１，２６１，…が装入された状態で連結片３２が保持部２６に嵌め込まれ、嵌め込まれた状態で前記表示部カバー４が表示窓部２４に嵌め込まれると、ボタン本体３は表示部カバー４により連結片３２の部分で固定された片持ち梁状態で保持され、各操作ボタン３１はその後面側（背面側）で可動部の中心伝達部に当接した状態となる。一方、可動部２５の中心伝達部の後面側は、基板上に設置された図外のスイッチと前後方向に僅かな寸法だけ離れた状態に位置するようになっている。以上より、操作ボタン３１の前面が使用者により押し操作されると後側に撓み、その押し操作力が中心伝達部を介してスイッチを押し付けて切換が可能になる。
【００２０】
次に、図４を参照しつつ説明すると、リモコンは、制御用の基板６が後面側（背面側）のケース本体１と、前面側のカバー本体２との間に挟まれた状態で収容されて組み付けられたものである。つまり、ケース本体１が後面ケースを、カバー本体２が前面ケースを、それぞれ構成するものである。基板６の前面の上端側位置には表示部７がその一部（はみ出し部分）７１をはみ出させた状態で設置されている。つまり、表示部７のはみ出し部分７１に相当する部分の基板をカットすることができ、カットすることにより基板６の全体サイズについて小型化が図られている。基板６には詳細な図示を省略するが各種スイッチを含む電装部６１が実装されている。図中の符号６２はマイクやスピーカを含む音声に係る電装部品を設置するための切欠である。そして、カバー本体２の後面側（裏面側）には、表示窓部２４の周囲からリブ２４１，２４１，２４２，２４３が後面側に突出するように形成されている。これらのリブ２４１，２４１，２４２，２４３は、カバー本体２が基板６に重ねられて組み付けられることで前記表示部７の周囲を取り囲んで表示部７を密閉空間内に収容し得るようになっている。すなわち、左右両側位置で上下方向に延びるリブ２４１，２４１と、下側位置で左右方向に延びるリブ２４２と、上側位置で左右方向に延びるリブ２４３とで表示部７を取り囲むように構成されている。なお、上側位置のリブ２４３は部分的に途切れてカバー本体２の周壁２０が表示部７を取り囲んで密封する役割を担っている。本来は、リブ２４１，２４１，２４２，２４３を無端に構成し表示部７の全周を囲むようにすればよいが、合成樹脂成形上の型抜きのためにカバー本体２の周壁２０側のリブ２４３のみ部分的に途切れるようにされている。レイアウト上、表示窓部２４を周壁２０から離してより下側に設定する場合には、表示窓部２４の全周を無端に囲むようにリブを形成することができる。
【００２１】
ケース本体１には四隅のそれぞれに係止孔を兼ねる基板６の支持部１１が設けられている。支持部１１は、リモコンの取り付け場所である壁面に設置された取付板に設けられた係止爪を背面側から係合可能に受け入れてリモコンを保持する役割と、前面側が基板６を支持して所定位置に保持するためのスペーサや位置決め等の役割とを果たすとともに、後述の如くリブ１２，１３と共に密閉空間Ｓを区画形成するためのリブの一部の役割をも果たすようになっている。特に、上側の左右両側位置にある支持部１１，１１には上下方向の所定位置に段差部１１１（図５，図６参照）がそれぞれ形成されており、この段差部１１１に基板６の上端縁を突き当てることで基板６の上下方向位置の位置決めがなされる一方、突き当てた状態で段差部１１１から下側の支持面１１２に当接させることでカバー本体２に対する連続した当接面が構成されることになる。すなわち、段差部１１１（図７も併せて参照）は基板６の厚みに相当する段差量に設定され、下側支持面１１２に基板６の後面（背面）を当接させることで、基板６の前面（図７では右側の面）と段差部１１１から上側の支持面１１３とが面一になって、カバー本体２の上下方向に延びるリブ２４１（図４も併せて参照）と連続して当接し得る当接面が形成されることになる。
【００２２】
又、ケース本体１には、上側の左右両側位置にある支持部１１，１１の上側位置で左右両側の支持部１１，１１を結ぶリブ１２と、下側位置で左右両側の支持部１１，１１を結ぶリブ１３とがそれぞれ所定量だけ前方に突出するように形成されている。下側位置のリブ１３は各支持部１１の下側支持面１１２と同じレベル位置まで、上側のリブ１２は各支持部１１の上側支持面１１３と同じレベル位置まで、それぞれ突出するように突出量が設定されている。これにより、下側のリブ１３は下側支持面１１２と共に基板６の後面に当接して基板６を支持する一方、上側のリブ１２は上側支持面１１３と共に基板６の前面と面一に延びてカバー本体２のリブ２４３と当接し得るようになっている。なお、上側のリブ１２もカバー本体２のリブ２４３と対応して部分的に途切れたり上方に延びる凸リブ１２１，…を備えたりしており、カバー本体２の周壁２０と協働して表示部７を密閉し得るようになっている。
【００２３】
以上の構成により、表示部７がその一部を上側にはみ出した状態で基板６に設置されている場合であっても、ケース本体１とカバー本体２との間に挟まれた状態で組み付けられると、図８に示すように表示部７は密閉空間Ｓ内に収容されることになる。すなわち、基板６はその上端縁側の後面がケース本体１のリブ１３の先端面や左右両側の支持部１１，１１の各下側支持面１１２（図５〜図７参照）と当接して保持される。この状態で表示部７は、左右両側位置においてカバー本体２のリブ２４１，２４１（図７参照）が基板６の前面と各支持部１１の上側支持面１１３と当接して区画され、下側位置においてカバー本体２（図８参照）のリブ２４２が基板６の前面（図８では上面）と当接して区画され、上側位置においてカバー本体２のリブ２４３とケース本体１のリブ１２とが先端面同士で当接して区画され、以上により、表示部７は密閉空間Ｓ内に収容されることになる。これにより、リモコンの内部にケース本体１やカバー本体２の隙間や開口を通して外部から埃等が侵入し易い環境下に置かれたとしても、密閉空間Ｓ内にその埃等が侵入することは阻止され、表示部７に埃等が付着することを確実に阻止することができる。
【００２４】
＜他の実施形態＞
なお、本発明は前記実施形態に限定されるものではなく、その他種々の実施形態を包含するものである。すなわち、前記実施形態では、上側の支持部１１に段差部１１１を設けることで基板６の前面と上側支持面１１３とが面一になるようにしたが、これに限らず、段差部１１１を設けることなく、カバー本体２の側のリブ（前記実施形態のリブ２４１）の先端面に基板６の厚みに対応する段差量を有する段差部を設けるようにしてもよい。
又、ケース本体１の側では上側のリブ１２と、左右両側の支持部１１，１１と、下側のリブ１３とで、はみ出し部分７１を最小限の範囲で環状に取り囲むように形成し、密閉空間Ｓをなるべく最小容積になるようにしているが、これに限らず、下側のリブ１３は必須ではなく、これを省略してもよい。すなわち、下側のリブ１３の代わりに基板６の後面（背面）を適当に支持するものがあればよく、密閉空間Ｓを区画形成するための遮蔽壁を別途形成するようにすればよい。
【符号の説明】
【００２５】
１      ケース本体（後面ケース）
２      カバー本体（前面ケース）
４      表示部カバー（表示窓部）
６      基板
７      表示部
１１    支持部（後面ケースのリブ）
１２    リブ（後面ケースのリブ）
１３    リブ（後面ケースのリブ）
２４    表示窓部
７１    はみ出し部分
１１１  段差部
１１２  下側支持面（一側の先端面）
１１３  上側支持面（他側の先端面）
２４１，２４２，２４３    リブ（前面ケースのリブ）
【図１】
2015133356.tif 000003
【図２】
2015133356.tif 000004
【図３】
2015133356.tif 000005
【図４】
2015133356.tif 000006
【図５】
2015133356.tif 000007
【図６】
2015133356.tif 000008
【図７】
2015133356.tif 000009
【図８】
2015133356.tif 000010
【図９】
2015133356.tif 000011